(57)【要約】【課題】本発明はシリコンの粘着力を利用してストッキング又はソックスのズレ止めを図ると共に、該シリコンの粘着力によるズレ止め抗力を増長するストッキング又はソックスにおけるズレ防止構造を提供する。【解決手段】履き口２を形成する口縁部が内側口縁部４と外側口縁部５との二重構造を有し、該内側口縁部４が外側口縁部５の上端から内側へ折り返して形成され、該内側口縁部４の折り返し端を外側口縁部５に縫着して成るストッキング１又はソックスにおいて、上記内側口縁部４の内周面にシリコンを塗布して太腿又は足首又はふくらはぎに接するシリコン粘着層６を形成すると共に、該シリコンを上記内側口縁部４の編み目を通し含浸して上記外側口縁部５の内周面に粘着し一体貼り合わせ構造にしたストッキング又はソックスにおけるズレ防止構造。【選択図】        図２
2006291417.tif 000002
【特許請求の範囲】
【請求項１】
履き口を形成する口縁部が内側口縁部と外側口縁部との二重構造を有し、該内側口縁部が外側口縁部の上端から内側へ折り返して形成され、該内側口縁部の折り返し端を外側口縁部に縫着して成るストッキング又はソックスにおいて、上記内側口縁部の内表面にシリコンを塗布して太腿又は足首又はふくらはぎに接するシリコン粘着層を形成すると共に、該シリコンを上記内側口縁部の編み目を通し含浸して上記外側口縁部の内表面に粘着し一体貼り合わせ構造にしたことを特徴とするストッキング又はソックスにおけるズレ防止構造。
【請求項２】
上記シリコン粘着層は内側口縁部の周方向に間隔をおいて配置された多数の粘着ランドを有し、各粘着ランド間にストッキング生地又はソックス生地を露出させていることを特徴とする請求項１記載のストッキング又はソックスにおけるズレ防止構造。
【発明の詳細な説明】
【技術分野】
【０００１】
本発明はナイロン糸等で編成されたストッキング又はソックスにおけるズレ止め構造に関する。
【背景技術】
【０００２】
従来、太腿までの丈を有するストッキングや、膝以下の丈を有するソックスにおいては履き口を形成する口縁部に編成ゴム帯を縫着するか、ポリウレタン系弾性糸又はゴム糸を口縁部に編み込む等して、同口縁部に緊縮力を持たせ、着用時のズレ止めを図っている。
【０００３】
然しながらこれらストッキングの履き口を形成する口縁部に緊縮力を持たせズレ止めを図る方法では、太腿や足首又はふくらはぎに締め付け痕を形成する、常に緊縮力が加わり不快な念を抱かせる等の問題を有している。
【０００４】
他方特許文献１乃至３はストッキングやソックスのズレ止め手段として、シリコンの粘着力を応用する方法を提案している。
【０００５】
例えば特許文献１においては、ストッキングの履き口の口縁部に弾性糸を編み込んで緊縮帯域（摩擦帯域）を形成すると共に、該緊縮帯域から上方へ延設した伸縮生地の内周面に環状にシリコンを塗布し、該環状シリコン粘着層と上記緊縮帯域の協働によってズレ止めを図る構造としている。
【０００６】
又特許文献２においては、ストッキング又はソックスの履き口を形成する口縁部内面にシリコンを微粒子状に吹き付けて編み糸上に固着し、シリコンを編み目内へ浸入させずにシリコン粘着層を形成してズレ止めを図る構成を採っている。
【０００７】
又特許文献３は靴下の履き口部に伸縮性を保有させると共に、この履き口部の内周面に環状にシリコンやゴムから成る滑り止め条を付設し、上記ズレ止めを図る構成としている。
【特許文献１】特開２００２−２２７００２号公報
【特許文献２】特開２００２−１４６６０１号公報
【特許文献３】実開昭５８−１８９１０４号公報
【発明の開示】
【発明が解決しようとする課題】
【０００８】
一般にストッキングやソックスにおいては履き口の上端を内側へ折り返し、該折り返し端を縫着し二重構造としている。即ち履き口の口縁部は上記折り返しによって形成した内側口縁部と、該内側口縁部に対面する外側口縁部との二重構造にし、補強を図っている。
【０００９】
本発明は上記履き口の口縁部を折り返しによって二重構造にしたストッキングやソックスにおいて、上記各特許文献に開示されたシリコンの粘着を利用したズレ止め技術を採用しつつ、上記履き口を二重構造にしたストッキングやソックスにおいて、上記シリコン応用の粘着によるズレに対する抵抗力を大幅に向上したズレ防止構造を提供するものである。
【００１０】
即ち本発明は上記二重構造にした履き口の上記外側口縁部をシリコンによるズレ止め抗力を強化する手段として有効に寄与せしめたストッキング又はソックスにおけるズレ防止構造を提供する。
【００１１】
又本発明は上記履き口の口縁部を形成する内側口縁部と外側口縁部間における滑りを防止しつつ、両者を一体貼り合わせ構造にして繰り返し引っ張りや、ガーターベルトの把持に対する強度を向上せしめたストッキング又はソックスにおけるズレ防止構造を提供するものである。
【課題を解決するための手段】
【００１２】
要述すると、本発明は履き口の上端を内側へ折り返し、該折り返し端を縫着し二重構造（袋構造）としたストッキングやソックス、即ち履き口の口縁部を上記折り返しによって形成した内側口縁部と、該内側口縁部に対面する外側口縁部との二重構造にし、補強を図ったストッキングやソックスにおいて、上記内側口縁部の内表面にシリコンを塗布して太腿又は足首又はふくらはぎに接するシリコン粘着層を形成すると共に、該シリコンを上記内側口縁部の編み目を通し含浸し、該含浸層を上記外側口縁部の内表面に粘着し、内外側口縁部を一体貼り合わせ構造にし、外側口縁部をシリコンによるズレ止め抗力を向上せしめる手段として寄与せしめたものである。
【００１３】
好ましくは、上記シリコン粘着層は内側口縁部の周方向に間隔をおいて配置された多数の粘着ランドを有し、各粘着ランド間にストッキング生地又はソックス生地を露出する構造にする。
【発明を実施するための最良の形態】
【００１４】
以下発明を実施するための最良の形態を図１乃至図６に基づき説明する。尚図面はストッキングを代表例として示している。
【００１５】
太腿までの丈を有するストッキング１や、膝以下の丈を有するソックスは編み糸の既知の編み構造によって全体に伸縮性を付与している。該ストッキング１やソックスにおいては履き口２の上端を内側へ折り返し、該折り返し端を本体に縫着し二重構造としている。
【００１６】
即ち履き口２の口縁部３は上記折り返しによって形成した内側口縁部４と、該内側口縁部４に対面する外側口縁部５との二重構造であり、これにより口縁部３の補強を図っている。又はこの口縁部３に弾性糸を編み込んで、補強を図りつつ緊縮力を付加している。
【００１７】
上記履き口２の口縁部３を上記折り返しによって形成した内側口縁部４と、該内側口縁部４に対面する外側口縁部５との二重構造にしたストッキング１やソックスにおいて、上記内側口縁部４の内表面にシリコンを塗布して太腿又は足首又はふくらはぎに接するシリコン粘着層６を形成する。
【００１８】
更に上記シリコンを上記内側口縁部４の編み目を通し含浸し、該含浸層７を上記外側口縁部５の内表面に粘着し、内外側口縁部４，５を一体貼り合わせ構造にする。
【００１９】
よって履き口２を形成する口縁部３に上記粘着層帯域と含浸層帯域を形成する。
【００２０】
上記シリコン粘着層６は内側口縁部４の周方向に間隔をおいて配置された多数の粘着ランド８を有し、各粘着ランド８間にストッキング生地又はソックス生地を間隔的に露出する構造にしたものである。９は該生地露出部を示す。
【００２１】
具体例として図２に示すように、上記口縁部３の上端縁に沿って環状に上部シリコン粘着層６ａを形成すると共に、口縁部３の下端縁に沿って環状に下部シリコン粘着層６ｂを形成し、該上下環状シリコン粘着層６ａ，６ｂ間を周方向に間隔をおいて配置された多数の粘着ランド８で連結する。よって各粘着ランド８間、即ち上下環状シリコン粘着層６ａ，６ｂと各粘着ランド８によりストッキング生地又はソックス生地の露出部９を画成し間隔的に配置する。
【００２２】
図４に示すように、上記上下環状シリコン粘着層６ａ，６ｂは内側口縁部４の編み目を通して含浸され、該上下環状含浸層７ａ，７ｂが外側口縁部５の内周面に周方向に上下に間隔を置いて粘着し、内外側口縁部４，５を上下環状に一体貼り合わせ構造にする。
【００２３】
同様に図３に示すように、上記粘着ランド８を形成する隔設粘着層６ｃは内側口縁部４の編み目を通して含浸せしめ、該隔設含浸層７ｃを外側口縁部５の内周面に周方向に間隔を置いて粘着し、内外側口縁部４，５を間隔的に一体貼り合わせ構造にする。
【００２４】
又は他の具体例として図５に示すように、上記上下環状シリコン粘着層６ａ，６ｂを形成せずに、ストッキング１又はソックスの履き口２の内周面、即ち内側口縁部４の内周面に周方向に間隔を置いて多数の粘着ランド８（粘着層６）を配置し、該周方向に隔置された粘着ランド８のみで太腿又は足首又はふくらはぎに粘着力を生起せしめ、前記と同様、上記粘着ランド８を形成するシリコンを内側口縁部４の編み目を通して含浸し、該隔設含浸層７ｃを外側口縁部５の内周面に周方向に間隔を置いて粘着し、内外側口縁部４，５を間隔的に一体貼り合わせ構造にする。
【００２５】
図２乃至図５に示すように、上記粘着層６は内側口縁部４の折り返し端の縫い目１０を除いた帯域に上記上下環状シリコン粘着層６ａ，６ｂと上下環状含浸層７ａ，７ｂと粘着ランド８と、隔設含浸層７ｃを形成し、縫い目１０をフリーにしている。
【００２６】
又は図６に示すように、上記各例示した粘着層６は内側口縁部４の折り返し端の縫い目１０を覆う帯域に亘って、上記上下環状シリコン粘着層６ａ，６ｂと上下環状含浸層７ａ，７ｂと粘着ランド８と、隔設含浸層７ｃを形成し、縫い目１０をシリコンにて拘束する。
【００２７】
上記シリコン含浸層７ａ，７ｂ，７ｃは内外側口縁部４，５を一体貼り合わせ構造にし、外側口縁部５をシリコンの粘着力によるズレ止め抗力を生起せしめる手段として用いる。即ちズレ止め抗力を内側口縁部４ばかりか外側口縁部５に担わせ、ズレ止め効果を向上する。
【００２８】
よって前記先行文献に開示されたシリコン応用によるズレ止め効果を著しく向上するものである。同時にシリコン含浸層７ａ，７ｂ，７ｃは内外側口縁部４，５間の滑りを防止し、両者を一体構造にして引っ張りや、ガーターの把持に対する強度を富加し、縫い目１０のほろこびを有効に防止することができる。
【００２９】
前記のようにストッキング１やソックスは、全体に伸縮編み構造によって伸縮性を付与し、肌にフィットできるようにしている。好ましくはストッキング１やソックスの履き口２を形成する口縁部３に緊縮帯域を形成せずに、上記伸縮性のみを付与したストッキング１やソックスに上記シリコン応用による粘着層６ａ，６ｂ，６ｃと含浸層７ａ，７ｂ，７ｃを形成し、緊縮力による不快感を与えずにシリコンの粘着力のみでズレ止めを図る構造とする。
【図面の簡単な説明】
【００３０】
【図１】本発明に係わるストッキング又はソックス、代表例としてズレ止め構造を施したストッキングの側面図。
【図２】図１におけるストッキングの縦断面図。
【図３】図２におけるＡ−Ａ線横断面図。
【図４】図２におけるＢ−Ｂ線横断面図。
【図５】シリコン粘着層の他例を示すストッキングの履き口の縦断面図。
【図６】上記ストッキングの内側口縁部の縫い目をシリコン粘着層で覆った例を示す縦断面図。
【符号の説明】
【００３１】
１…ストッキング、２…履き口、３…口縁部、４…内側口縁部、５…外側口縁部、６…シリコン粘着層、６ａ…上部環状シリコン粘着層，６ｂ…下部環状シリコン粘着層、６ｃ…隔設粘着層、７ａ…上部環状含浸層、７ｂ…下部環状含浸層、７ｃ…隔設含浸層、８…粘着ランド、９…生地露出部、１０…縫い目
【図１】
2006291417.tif 000003
【図２】
2006291417.tif 000004
【図３】
2006291417.tif 000005
【図４】
2006291417.tif 000006
【図５】
2006291417.tif 000007
【図６】
2006291417.tif 000008